(57)【要約】【課題】連続的に皮膚に対して照射した場合であっても、使用者に対して十分な安全性を備えた発毛調節光照射装置を提供する。【解決手段】  処理対象の皮膚Ｍの発毛成長を調節するための光を発する光源部１と、光源部１が発する光を透過して外部に照射する光学パネル２と、を有する発毛調節光照射装置であって、前記光学パネル２には前記処理対象の皮膚Ｍとの間に隙間を設けるための突起部３を設けた。【選択図】図１
2009233071.tif 000002
【特許請求の範囲】
【請求項１】
処理対象の皮膚の発毛成長を調節するための光を発する光源部と、光源部が発する光を透過して外部に照射する光学パネルと、を有する発毛調節光照射装置であって、前記光学パネルには前記処理対象の皮膚との間に隙間を設けるための突起部を設けて成ることを特徴とする発毛調節光照射装置。
【請求項２】
前記光学パネルは、前記光源部と点接触の状態で配設して成ることを特徴とする請求項１記載の発毛調節光照射装置。
【発明の詳細な説明】
【技術分野】
【０００１】
本発明は、体毛の成長を調節するための光を皮膚に対して照射する発毛調節光照射装置に関するものである。
【背景技術】
【０００２】
従来から、処理対象となる皮膚Ｍにレーザ等の光を当て、光の作用により体毛の成長を抑制又は促進することで、脱毛又は育毛を図る発毛調節光照射装置が知られている。例えば、特許文献１に開示される発毛調節光照射装置は、装置先端に設置された光学パネルを処理対象の皮膚Ｍに押し付けるようにしてセットし、この状態で装置本体内部に収容される半導体レーザ発生素子からレーザを発生させることで、光学パネル２を通じて処理対象の皮膚Ｍにレーザを照射させる構造になっている。一般的にこの光学パネル２には、皮膚に対する照射を効率良くするために、透過性の良い透明な樹脂又はガラス製のレンズを用いられている。
【特許文献１】特開２００１−２５２１２８号公報
【発明の開示】
【発明が解決しようとする課題】
【０００３】
ところで、従来の発光体を備える発毛調節光照射装置においては、光源部１は発光体と一方向に開口部を有する反射傘１１とから構成されており、その反射傘１１の開口部は照射方向に臨むように設置されている。光学パネル２はその反射傘１１の開口部を閉塞するように設置されており、その光源部１は密閉状態となっていた。そのため、この発毛調節光照射装置を長時間連続して使用した場合は、光源部１から発せられる高エネルギの光によって光学パネル２が高熱になってしまうと共に、同様に高温になった反射傘１１は接触している光学パネル２に高熱を伝導する。さらに、光源部１が密閉状態になっているために、光源部１内部の空気の移動による空冷作用も期待できない。このような構成の発毛調節光照射装置は、皮膚との接触面である光学パネル２が非常に高熱になることから、使用者の皮膚Ｍに火傷を負わせてしまうという問題を有していた。
【０００４】
本発明は、上記従来の問題に鑑みてなされたものであり、その目的とするところは、連続的に皮膚に対して照射した場合であっても、使用者に対して十分な安全性を備えた発毛調節光照射装置を提供することにある。
【課題を解決するための手段】
【０００５】
上記課題を解決するために請求項１に係る発明にあっては、処理対象の皮膚Ｍの発毛成長を調節するための光を発する光源部１と、光源部１が発する光を透過して外部に照射する光学パネル２と、を有する発毛調節光照射装置であって、前記光学パネル２には前記処理対象の皮膚Ｍとの間に隙間を設けるための突起部３を設けて成ることを特徴とするものである。
【０００６】
このように構成したことで、光学パネル２が高温になった場合であっても光学パネル２に設けた突起部３によって光学パネル２の表面に皮膚Ｍが直接接触することがないので、使用者の熱傷を防止できる。
【０００７】
また、請求項２に係る発明にあっては、請求項１に係る発明において、前記光学パネル２は、前記光源部１と点接触の状態で配設して成ることを特徴とするものである。
【０００８】
このような構成によれば、従来の構成では反射傘１１の開口部縁辺に光学パネル２が線状に当接して固設されていたものを、点接触状態で接続させることによって高温になった反射傘１１からの熱伝導率を低下させることができて、光学パネル２が高温になるのを防止できる。さらに、光源部１と光学パネル２との間に隙間Ｓを介在させることで、光源部１内部の高温になった空気が外部に移動できるので発光部及び高温になった反射傘１１からの熱の伝導をさらに低減させることが可能となる。
【発明の効果】
【０００９】
本発明によれば、使用者が熱傷を負わない安全性の高い装置を提供できると共に、光学パネル等の装置部品自体の焼損も防止できるものである。
【発明を実施するための最良の形態】
【００１０】
以下、本発明について添付図面に基づいて説明する。なお、説明の便宜上光照射方向を上下方向とし、特に光学パネルの位置する方向を上方として説明する。
【００１１】
図１には、本発明の実施形態における一例の発毛調節光照射装置として、発毛を抑制するための光を発する光源部１を内部に備えて成る光脱毛装置を示している。該光脱毛装置は、片手で把持可能な箱型のハウジング４の内部に前記光源部１を収納し、該光源部１の上方にはガラスや樹脂で形成された透過窓としての光学パネル２を配設して成るものである。光源部１として反射傘１１の内部にキセノンランプから成るフラッシュライトを抑毛用の発光体（図示せず）として収容し、処理対象となる皮膚Ｍに向けて照射可能なように、該反射傘１１の開放面を上方に臨んで設置すると共に、その開放面を閉塞するように前記光学パネル２を固設してハウジング４内部に収容している。
【００１２】
ハウジング４内部には発光体とリード線にて接続される制御回路５を収納してあり、この制御回路５によって下部に備える電源（本実施形態では、乾電池６を用いている）から供給される電圧を昇圧させて成る高電圧を発光体に印加し、該発光体を高エネルギで発光させるようになっている。ハウジング４の外周面には、光照射用のオンオフを手動操作するための照射スイッチ（図示せず）を制御回路５と接続させて設けている。なお、図中において配線は省略している。
【００１３】
上記光脱毛装置を用いて脱毛処理を行うには、まず該光脱毛装置の電源スイッチ（図示せず）をオンにして操作可能状態にし、使用者はハウジング４本体を片手で把持した状態で、処理対象の皮膚Ｍに対して前記光学パネル２を押し当ててセットする。この状態で照射スイッチを操作して光照射をオンにすれば、発光体からパルス状に発せられる光が、光学パネル２を介して処理対象の皮膚Ｍに照射され、該皮膚Ｍの体毛に対して抑毛作用を及ぼす。
【００１４】
以上、発毛調節光照射装置の基本的な構成について、図示例の光脱毛装置に基づいて述べた。以下においては本発明特有の構成についてさらに詳述する。
【００１５】
図示例の光脱毛装置にあっては、図２に示すように、光学パネル２の上面から上方に向けて突起部３が突設されている。この突起部３は並列する平面視菱形の各頂点に円柱状の突起３１が突設されており、１ｍｍ乃至３ｍｍ程度の突出長さを有している。このような光学パネル２は、前記処理対象の皮膚Ｍが押し付けられたとしても、突起部３が皮膚Ｍと点状に当接し、すなわち高温となった光学パネル２との接触を妨げて、皮膚Ｍを光学パネル２に直接接触させないため皮膚Ｍが熱傷を負わない。
【００１６】
別の実施例として図３を用いて説明する。本実施形態の光学パネル２には、断面円弧状で且つ平面視直線状の突起３１が上方に向けて突設し、平行に並んで突起部３が構成されている。このような光学パネル２は、前記処理対象の皮膚Ｍが押し付けられたとしても、突起部３が皮膚Ｍと線状に当接して、高温となった光学パネル２に直接接触することが回避できる。このような構成であっても上記と同様の効果が得られるものである。
【００１７】
さらに別の実施例として図４を用いて説明する。本実施形態の光学パネル２には、平面視矩形状の突起３１が光学パネル２の上面からの上方に向けて突設している。このような光学パネル２の突起部３によっても、その突起部３が皮膚Ｍと線状に当接して、高温となった光学パネル２に直接接触することが回避できる。このような構成であっても上記と同様な効果が得られる。
【００１８】
図５に示す実施例は、光源部１と光学パネル２を点接触により接続させて成る一例を示す。この光脱毛装置は、光学パネル２と光源部１との間に隙間Ｓを介在させた状態で、光学パネル２の四隅を線状の接続片７を用いて光源部１に固設するものである。なお、本実施形態では光学パネル２の四隅に前記接続片７を配設しているが、この接続位置及び接続片７の数量は特に限定されない。このように、光学パネル２と光源部１との接触箇所が接続片７における接触のみであるので、光源部１からの熱の伝導を大きく低減できる。さらに、光学パネル２と光源部１との間に隙間Ｓを介在させたことにより、高温となった内部の空気が外部に流出したり、比較的温度の低い室温が内部に流入したりして空冷作用が働くので、光学パネル２への熱の伝導をさらに低減できる。
【００１９】
なお特に説明や図示はしないが、このような構成と図１乃至図４に示す実施例の構成を組み合わせることによって、使用者の更なる安全性を高めた光脱毛装置を提供できるのは言うまでもない。
【００２０】
以上、キセノンライトを用いた光脱毛装置に基づいて本発明の発毛調節光照射装置を説明したが、光源部１に備える発光体はキセノンライトから成るフラッシュライトに限定されず、他の構成からなるフラッシュライトであってもよいし、或いはレーザダイオード等を用いてレーザ光を照射するものであってもよい。また、該発光体は脱毛用に限定されず、光の照射により発毛を促進して育毛を図るものであってもよく、すなわち発光体は体毛の成長を調節するための光を発するものであれば良い。
【図面の簡単な説明】
【００２１】
【図１】本発明の一例の実施形態を示す断面図である。
【図２】同上の平面図である。
【図３】別の実施形態の光学パネルを示す斜視図である。
【図４】さらに別の実施形態の光学パネルを示す斜視図である。
【図５】さらに別の実施形態の該略図を示し、要部の側面図である。
【符号の説明】
【００２２】
１      光源部
１１    反射傘
２      光学パネル
３      突起部
３１    突起
４      ハウジング
５      制御回路
６      乾電池
７      接続片
Ｍ      処理対象の皮膚
Ｓ      光源部と光学パネルとの隙間
【図１】
2009233071.tif 000003
【図２】
2009233071.tif 000004
【図３】
2009233071.tif 000005
【図４】
2009233071.tif 000006
【図５】
2009233071.tif 000007